(57)【特許請求の範囲】
【請求項１】
機器間の情報通信を光伝送媒体を介して行う際に、前記光伝送媒体と機器との間に設けられるアダプタであって、
前記光伝送媒体と接続される光トランシーバが挿入される少なくとも１つのソケットと；
前記少なくとも１つのソケットが実装され、前記機器と接続されるコネクタを有し、該コネクタと前記少なくとも１つのソケットとを電気的に接続する複数の配線パターンが設けられているボードと；
前記ボードに実装され、前記少なくとも１つのソケットに挿入された光トランシーバを制御する信号が外部から入力される少なくとも１つの入力端子と；を備え、
前記ボードは、前記少なくとも１つの入力端子と前記少なくとも１つのソケットとを電気的に接続する少なくとも１つの配線パターンが更に設けられているアダプタ。
【請求項２】
前記少なくとも１つのソケットは、第１のソケットと第２のソケットを含み、
前記少なくとも１つの入力端子は、第１の入力端子と第２の入力端子を含み、
前記少なくとも１つの配線パターンは、前記第１のソケットと前記第１の入力端子とを電気的に接続する第１の配線パターンと、前記第２のソケットと前記第２の入力端子とを電気的に接続する第２の配線パターンを含むことを特徴とする請求項１に記載のアダプタ。
【請求項３】
前記ボードは、前記第１の配線パターンと前記第２の配線パターンを電気的に連結することができるチップジャンパを更に有することを特徴とする請求項２に記載のアダプタ。
【請求項４】
前記制御する信号は、リセット信号であることを特徴とする請求項１〜３のいずれか一項に記載のアダプタ。
【請求項５】
前記情報通信は、ＰＣＩ  Ｅｘｐｒｅｓｓの規格に準拠した情報通信であり、
前記ボードに実装され、サイドバンド信号を出力する端子を有するケーブルソケットを更に備え、
前記複数の配線パターンは、前記コネクタにおけるサイドバンド信号用の端子と前記ケーブルソケットにおけるサイドバンド信号を出力する端子とを電気的に接続する配線パターンを更に含むことを特徴とする請求項１〜４のいずれか一項に記載のアダプタ。
【請求項６】
前記ケーブルソケットは、ハイレベル信号用の端子を更に有することを特徴とする請求項５に記載のアダプタ。
【請求項７】
前記ケーブルソケットは、前記ボード上で互いに電気的に接続されている２つの端子を更に有することを特徴とする請求項５又は６に記載のアダプタ。
【請求項８】
前記少なくとも１つのソケットは、４レーンに対応していることを特徴とする請求項５〜７のいずれか一項に記載のアダプタ。
【請求項９】
前記コネクタは８レーンに対応していることを特徴とする請求項５〜８のいずれか一項に記載のアダプタ。
【請求項１０】
前記ボードは、外形が矩形状の板状部材であり、
前記コネクタ及び前記少なくとも１つのソケットは、互いに隣接する辺近傍にそれぞれ配置されていることを特徴とする請求項１〜９のいずれか一項に記載のアダプタ。
【請求項１１】
前記ボードは、外形が矩形状の板状部材であり、
前記コネクタ及び前記少なくとも１つのソケットは、互いに対向する辺近傍にそれぞれ配置されていることを特徴とする請求項１〜９のいずれか一項に記載のアダプタ。
【請求項１２】
前記コネクタは、カードエッジコネクタであることを特徴とする請求項１〜１１のいずれか一項に記載のアダプタ。
【請求項１３】
前記少なくとも１つのソケットは、ＳＦＰ規格、ＳＦＰ＋規格、ＱＳＦＰ規格、ＱＳＦＰ＋規格、及びＸＦＰ規格のいずれかに対応していることを特徴とする請求項１〜１２のいずれか一項に記載のアダプタ。
【請求項１４】
前記ボードは、冷却用ファンを取付可能な電源用端子を更に有することを特徴とする請求項１〜１３のいずれか一項に記載のアダプタ。
【請求項１５】
外部機器に対する情報の送信及び受信の少なくとも一方を行うことができる情報機器であって、
少なくとも１つのソケットが搭載されている基板と；
前記少なくとも１つのソケットに挿入された請求項１〜１４のいずれか一項に記載の少なくとも１つのアダプタと；を備える情報機器。
【請求項１６】
第１の情報機器と第２の情報機器が光伝送媒体を介して接続されている情報システムであって、
前記第１の情報機器として、外部機器に対する情報の送信及び受信のうち少なくとも送信を行うことができる請求項１５に記載の情報機器と；
前記第２の情報機器として、外部機器に対する情報の送信及び受信のうち少なくとも受信を行うことができる請求項１５に記載の情報機器と；
前記第１の情報機器の少なくとも１つのアダプタに挿入された少なくとも１つの光トランシーバと；
前記第２の情報機器の少なくとも１つのアダプタに挿入された少なくとも１つの光トランシーバと；
前記第１の情報機器の少なくとも１つの光トランシーバに一端が接続され、前記第２の情報機器の少なくとも１つの光トランシーバに他端が接続されている光伝送媒体と；を備える情報システム。
【発明の詳細な説明】
【技術分野】
【０００１】
本発明は、アダプタ、情報機器及び情報システムに係り、更に詳しくは、光通信に用いられるアダプタ、該アダプタが装着された情報機器及び情報システムに関する。
【背景技術】
【０００２】
遠くにある情報機器間でデータ通信を行うための規格として、ＩＥＥＥ８０２．３が広く普及している。
【０００３】
一方、近年、パソコンの高速ローカル・バスの規格である、ＰＣＩ（Ｐｅｒｉｐｈｅｒａｌ  Ｃｏｍｐｏｎｅｎｔ  Ｉｎｔｅｒｃｏｎｎｅｃｔ）の後継となる規格として、ＰＣＩ  Ｅｘｐｒｅｓｓ（登録商標）が提案された。
【０００４】
ＰＣＩ  Ｅｘｐｒｅｓｓの伝送路は、２対（上り用と下り用）の信号線、すなわち４本の信号線を１レーンとし、レーン単位で全二重双方向のシリアル転送が可能である。また、実効転送速度は、１レーンの一方向あたり２５０Ｍバイト／ｓである。そこで、例えば、８レーンを有する場合は、一方向あたり２Ｇバイト／ｓの実効転送速度が可能である。
【０００５】
そして、ＰＣＩ  Ｅｘｐｒｅｓｓの規格に対応したソケットを搭載したワークステーションやパソコンなどの情報機器が市販されるようになった。
【０００６】
例えば、特許文献１には、ギガビットＬＡＮ（Ｌｏｃａｌ  Ａｒｅａ  Ｎｅｔｗｏｒｋ）アナライザボードが開示されている。このギガビットＬＡＮアナライザボードは、回路基板上に、光ケーブル用コネクタ及びツイストペアケーブル用コネクタと、これらのコネクタから入力された信号を個別のフレーム信号に変換するギガビットＬＡＮコントローラと、このギガビットＬＡＮコントローラで得られたフレーム信号から解析用のデータを作成するコントローラ用ＦＰＧＡ（Ｆｉｅｌｄ  Ｐｒｏｇｒａｍｍａｂｌｅ  Ｇａｔｅ  Ａｒｒａｙ）と、作成された解析用のデータを格納するメモリと、解析用のコンピュータが接続される３２ビット又は６４ビット高速バスインターフェースとを搭載している。
【０００７】
そして、コントローラ用ＦＰＧＡは、フレーム信号のエラーチェックを行うエラーチェック部と、フレーム信号毎に受信時刻を付与するタイムスタンプ部と、予め設定されたフレーム信号パターンのみを通過させるキャプチュアフィルタ部とを備え、メモリに格納されたデータを高速バスインターフェースに接続されたコンピュータによって解析するようにしている。
【０００８】
また、特許文献２には、ＰＣＩ  Ｅｘｐｒｅｓｓマルチモード拡充カードが開示されている。このＰＣＩ  Ｅｘｐｒｅｓｓマルチモード拡充カードは、主にＰＣＩ  Ｅｘｐｒｅｓｓインターフェースポート、第一拡充ポート、第二拡充ポート、ジャンパー回路を含んでいる。
【０００９】
そして、ＰＣＩ  Ｅｘｐｒｅｓｓインターフェースポートは、ＵＳＢインターフェースピン及びＰＣＩ  Ｅｘｐｒｅｓｓインターフェースピンを含む。
【発明の概要】
【発明が解決しようとする課題】
【００１０】
ところで、ＰＣＩ  Ｅｘｐｒｅｓｓの規格に対応したソケットを搭載した情報機器間でデータ通信を行おうとすると、例えば、送信側の情報機器では、送信情報をＰＣＩ  Ｅｘｐｒｅｓｓの規格からＩＥＥＥ８０２．３の規格に変換して送出し、受信側の情報機器では、受信情報をＩＥＥＥ８０２．３の規格からＰＣＩ  Ｅｘｐｒｅｓｓの規格に変換して取り込む必要があった。これは、ＰＣＩ  Ｅｘｐｒｅｓｓの規格に対応したソケットに挿入される通信アダプタに上記変換処理を高速で行うためのチップを搭載する必要があり、コストが高いという不都合があった。また、ＩＥＥＥ８０２．３の規格に変換する際に各種ヘッダ情報が付加されるため、実効転送速度が低下するという不都合があった。例えば、ＰＣＩ  Ｅｘｐｒｅｓｓの規格に準拠した通信では送信情報に含まれるデータ量が７０〜８０％であるのに対して、ギガビットイーサネット（登録商標）では４０〜６０％程度といわれている。
【００１１】
本発明は、かかる事情の下になされたもので、その第１の目的は、高価格化及び実効転送速度の低下を招くことなく、機器間の情報通信を可能にするアダプタを提供することにある。
【００１２】
また、本発明の第２の目的は、高価格化及び実効転送速度の低下を招くことなく、情報通信を行うことができる情報機器を提供することにある。
【００１３】
また、本発明の第３の目的は、高価格化及び実効転送速度の低下を招くことなく、情報通信を行うことができる情報システムを提供することにある。
【課題を解決するための手段】
【００１５】
本発明は、第１の観点からすると、機器間の情報通信を光伝送媒体を介して行う際に、前記光伝送媒体と機器との間に設けられるアダプタであって、前記光伝送媒体と接続される光トランシーバが挿入される少なくとも１つのソケットと；前記少なくとも１つのソケットが実装され、前記機器と接続されるコネクタを有し、該コネクタと前記少なくとも１つのソケットとを電気的に接続する複数の配線パターンが設けられているボードと；前記ボードに実装され、前記少なくとも１つのソケットに挿入された光トランシーバを制御する信号が外部から入力される少なくとも１つの入力端子と；を備え、前記ボードは、前記少なくとも１つの入力端子と前記少なくとも１つのソケットとを電気的に接続する少なくとも１つの配線パターンが更に設けられているアダプタである。
【００１６】
これによれば、高価格化及び実効転送速度の低下を招くことなく、機器間の情報通信が可能になる。
【００１７】
本発明は、第２の観点からすると、外部機器に対する情報の送信及び受信の少なくとも一方を行うことができる情報機器であって、少なくとも１つのソケットが搭載されている基板と；前記少なくとも１つのソケットに挿入された少なくとも１つの本発明のアダプタと；を備える情報機器である。
【００１８】
これによれば、高価格化及び実効転送速度の低下を招くことなく、情報通信を行うことができる。
【００１９】
本発明は、第３の観点からすると、第１の情報機器と第２の情報機器が光伝送媒体を介して接続されている情報システムであって、前記第１の情報機器として、外部機器に対する情報の送信及び受信のうち少なくとも送信を行うことができる本発明の情報機器と；前記第２の情報機器として、外部機器に対する情報の送信及び受信のうち少なくとも受信を行うことができる本発明の情報機器と；前記第１の情報機器の少なくとも１つのアダプタに挿入された少なくとも１つの光トランシーバと；前記第２の情報機器の少なくとも１つのアダプタに挿入された少なくとも１つの光トランシーバと；前記第１の情報機器の少なくとも１つの光トランシーバに一端が接続され、前記第２の情報機器の少なくとも１つの光トランシーバに他端が接続されている光伝送媒体と；を備える情報システムである。
【００２０】
これによれば、高価格化及び実効転送速度の低下を招くことなく、情報通信を行うことができる。
【図面の簡単な説明】
【００２３】
【図１】本発明の一実施形態に係るプリントシステムの概略構成を説明するための図である。
【図２】サーバとプリンタとの間の伝送路を説明するための図である。
【図３】サーバにおけるコントローラの構成を説明するためのブロック図である。
【図４】プリンタにおけるコントローラの構成を説明するためのブロック図である。
【図５】カードアダプタの平面図である。
【図６】カードエッジコネクタの複数の端子を説明するための図である。
【図７】トランシーバソケットの複数の端子を説明するための図である。
【図８】カードエッジコネクタにおけるシリアル信号用端子と２つのトランシーバソケットにおけるシリアル信号用端子とを電気的に接続する複数の配線パターンを説明するための図である。
【図９】コネクタ３１１に関する配線パターンを説明するための図である。
【図１０】サーバ側のコネクタ３１１とプリンタ側のコネクタ３１１との間の伝送路を説明するための図である。
【図１１】２つのトランシーバソケットにおける光トランシーバの制御信号用の端子と２つのコネクタとを電気的に接続する複数の配線パターンを説明するための図である。
【図１２】コネクタ３１３及びコネクタ３１４と外部装置（光トランシーバ制御装置）との接続状態を説明するための図である。
【図１３】カードアダプタを、１レーン用、４レーン用、８レーン用のいずれとするかを設定するためのスイッチＳＷ８を説明するための図である。
【図１４】光トランシーバを説明するための図（その１）である。
【図１５】光トランシーバを説明するための図（その２）である。
【図１６】カードアダプタの変形例を説明するための図である。
【発明を実施するための形態】
【００２４】
以下、本発明の一実施形態を図１〜図１５に基づいて説明する。図１には、一実施形態に係る情報システムとしてのプリントシステム１００の概略構成が示されている。
【００２５】
このプリントシステム１００は、サーバ２００、カードアダプタ３００（図１では不図示）、プリンタ４００、光ケーブル５００、光トランシーバ６００（図１では不図示）、複数の端末８００、ネットワーク９００などを備えている。
【００２６】
サーバ２００は、いわゆるプリントサーバであり、ネットワーク９００を介して複数の端末（例えば、パソコン）８００と接続されている。
【００２７】
サーバ２００は、図２に示されるように、そのマザーボードにＰＣＩ  Ｅｘｐｒｅｓｓの規格に準拠したソケット（ＰＣＩ  Ｅｘｐｒｅｓｓソケット）が少なくとも４つ搭載されている。そして、各ＰＣＩ  Ｅｘｐｒｅｓｓソケットには、カードアダプタ３００が装着されている。
【００２８】
プリンタ４００は、図２に示されるように、そのマザーボードにＰＣＩ  Ｅｘｐｒｅｓｓの規格に準拠したソケット（ＰＣＩ  Ｅｘｐｒｅｓｓソケット）が少なくとも４つ搭載されている。そして、各ＰＣＩ  Ｅｘｐｒｅｓｓソケットには、カードアダプタ３００が装着されている。
【００２９】
また、各カードアダプタ３００には、光トランシーバ６００がそれぞれ取り付けられている。
【００３０】
そして、サーバ側の光トランシーバ６００とプリンタ側の光トランシーバ６００とは、光ケーブル５００によって個別に接続されている。
【００３１】
ここでは、ブラックの画像情報、シアンの画像情報、マゼンタの画像情報、及びイエローの画像情報が、ラスターイメージの可逆圧縮データの形で、個別にサーバ２００からプリンタ４００に伝送される。
【００３２】
そして、プリンタ４００は、受信したブラックの画像情報、シアンの画像情報、マゼンタの画像情報、及びイエローの画像情報に応じてカラー画像を形成する。
【００３３】
サーバ２００は、一例として図３に示されるように、端末８００からの要求に応じて、該端末８００からの画像情報をプリンタ４００に向けて出力するコントローラ２１０を備えている。
【００３４】
このコントローラ２１０は、２つの通信制御回路（２１１、２１６）、画像処理回路２１２、データ圧縮回路２１３、メモリ２１４、及びメモリ制御回路２１５などを有している。
【００３５】
通信制御回路２１１は、ネットワーク９００を介した複数の端末８００との通信を制御する。
【００３６】
画像処理回路２１２は、通信制御回路２１１で受信した端末８００からの画像情報を、ラスターイメージデータに変換する。
【００３７】
データ圧縮回路２１３は、画像処理回路２１２からのラスターイメージデータを可逆圧縮し、メモリ２１４に一時的に格納する。
【００３８】
メモリ制御回路２１５は、メモリ２１４に蓄積されたデータを監視し、データが揃うと通信制御回路２１６を介して出力する。
【００３９】
プリンタ４００は、一例として図４に示されるように、サーバ２００からのラスターイメージの可逆圧縮データを印刷装置に出力するコントローラ４１０を備えている。
【００４０】
このコントローラ４１０は、通信制御回路４１１、メモリ４１２、メモリ制御回路４１３、データ伸長回路４１４、及び印刷制御回路４１５などを有している。
【００４１】
通信制御回路４１１は、受信したラスターイメージの可逆圧縮データをメモリ４１２に一時的に格納する。
【００４２】
メモリ制御回路４１３は、メモリ４１２に蓄積されたデータを監視し、データが揃うとデータ伸長回路４１４に出力する。
【００４３】
データ伸長回路４１４は、メモリ４１２からのラスターイメージの可逆圧縮データを伸長する。
【００４４】
印刷制御回路４１５は、データ伸長回路４１４で伸長されたラスターイメージを印刷装置に出力する。
【００４５】
次に、カードアダプタ３００の詳細について説明する。カードアダプタ３００の平面図が、一例として図５に示されている。
【００４６】
ここでは、カードアダプタ３００は、ボード３１０上に、２つのトランシーバソケット（３１２Ａ、３１２Ｂ）、４つのコネクタ（３１１、３１３、３１４、３１６）が実装されている。なお、２つのトランシーバソケットを区別する必要がないときは、トランシーバソケット３１２という。
【００４７】
また、ボード３１０の一端部近傍には、両面にカードエッジコネクタ３１５が形成されている。ここでは、便宜上、トランシーバソケット３１２が実装されている面をＡ面とし、それと反対側の面をＢ面という。なお、図５における符号Ｌ１１は１０５ｍｍ、符号Ｌ１２は１３０ｍｍである。
【００４８】
また、図５には、ボード３１０上におけるシリアル信号線が最優先で配線されている領域がハッチングで示されている。このシリアル信号線とは、ＰＣＩ  Ｅｘｐｒｅｓｓの伝送路であり、具体的には、カードエッジコネクタ３１５とトランシーバソケット３１２Ａ間及びカードエッジコネクタ３１５とトランシーバソケット３１２Ｂ間の配線である。なお、該配線領域に対応するＢ面側の領域も配線領域である。
【００４９】
コネクタ３１６は、冷却ファンを取り付ける際に、該冷却ファンに電力を供給するためのコネクタである。
【００５０】
ここでは、カードエッジコネクタ３１５は、８レーンに対応している。そして、各トランシーバソケットは、それぞれ４レーンに対応している。
【００５１】
図６には、カードエッジコネクタ３１５における複数の端子が示されている。第１のレーンのシリアル信号用端子は、ＰＥＴ０Ｐ、ＰＥＴ０Ｎ、ＰＥＲ０Ｐ、ＰＥＲ０Ｎの４つである。ＰＥＴ０ＰとＰＥＴ０Ｎは送信用、ＰＥＲ０ＰとＰＥＲ０Ｎは受信用である。
【００５２】
第２のレーンのシリアル信号用端子は、ＰＥＴ１Ｐ、ＰＥＴ１Ｎ、ＰＥＲ１Ｐ、ＰＥＲ１Ｎの４つである。ＰＥＴ１ＰとＰＥＴ１Ｎは送信用、ＰＥＲ１ＰとＰＥＲ１Ｎは受信用である。
【００５３】
第３のレーンのシリアル信号用端子は、ＰＥＴ２Ｐ、ＰＥＴ２Ｎ、ＰＥＲ２Ｐ、ＰＥＲ２Ｎの４つである。ＰＥＴ２ＰとＰＥＴ２Ｎは送信用、ＰＥＲ２ＰとＰＥＲ２Ｎは受信用である。
【００５４】
第４のレーンのシリアル信号用端子は、ＰＥＴ３Ｐ、ＰＥＴ３Ｎ、ＰＥＲ３Ｐ、ＰＥＲ３Ｎの４つである。ＰＥＴ３ＰとＰＥＴ３Ｎは送信用、ＰＥＲ３ＰとＰＥＲ３Ｎは受信用である。
【００５５】
第５のレーンのシリアル信号用端子は、ＰＥＴ４Ｐ、ＰＥＴ４Ｎ、ＰＥＲ４Ｐ、ＰＥＲ４Ｎの４つである。ＰＥＴ４ＰとＰＥＴ４Ｎは送信用、ＰＥＲ４ＰとＰＥＲ４Ｎは受信用である。
【００５６】
第６のレーンのシリアル信号用端子は、ＰＥＴ５Ｐ、ＰＥＴ５Ｎ、ＰＥＲ５Ｐ、ＰＥＲ５Ｎの４つである。ＰＥＴ５ＰとＰＥＴ５Ｎは送信用、ＰＥＲ５ＰとＰＥＲ５Ｎは受信用である。
【００５７】
第７のレーンのシリアル信号用端子は、ＰＥＴ６Ｐ、ＰＥＴ６Ｎ、ＰＥＲ６Ｐ、ＰＥＲ６Ｎの４つである。ＰＥＴ６ＰとＰＥＴ６Ｎは送信用、ＰＥＲ６ＰとＰＥＲ６Ｎは受信用である。
【００５８】
第８のレーンのシリアル信号用端子は、ＰＥＴ７Ｐ、ＰＥＴ７Ｎ、ＰＥＲ７Ｐ、ＰＥＲ７Ｎの４つである。ＰＥＴ７ＰとＰＥＴ７Ｎは送信用、ＰＥＲ７ＰとＰＥＲ７Ｎは受信用である。
【００５９】
また、図７には、トランシーバソケット３１２における複数の端子が示されている。第１のレーンのシリアル信号用端子は、ＴＸ１ｐ、ＴＸ１ｎ、ＲＸ１ｐ、ＲＸ１ｎの４つである。ＴＸ１ｐとＴＸ１ｎは送信用、ＲＸ１ｐとＲＸ１ｎは受信用である。
【００６０】
第２のレーンのシリアル信号用端子は、ＴＸ２ｐ、ＴＸ２ｎ、ＲＸ２ｐ、ＲＸ２ｎの４つである。ＴＸ２ｐとＴＸ２ｎは送信用、ＲＸ２ｐとＲＸ２ｎは受信用である。
【００６１】
第３のレーンのシリアル信号用端子は、ＴＸ３ｐ、ＴＸ３ｎ、ＲＸ３ｐ、ＲＸ３ｎの４つである。ＴＸ３ｐとＴＸ３ｎは送信用、ＲＸ３ｐとＲＸ３ｎは受信用である。
【００６２】
第４のレーンのシリアル信号用端子は、ＴＸ４ｐ、ＴＸ４ｎ、ＲＸ４ｐ、ＲＸ４ｎの４つである。ＴＸ４ｐとＴＸ４ｎは送信用、ＲＸ４ｐとＲＸ４ｎは受信用である。
【００６３】
図８には、カードエッジコネクタ３１５におけるシリアル信号用端子（合計３２個）と２つのトランシーバソケット（３１２Ａ、３１２Ｂ）におけるシリアル信号用端子（合計３２個）とを電気的に接続する複数の配線パターンが示されている。
【００６４】
カードエッジコネクタ３１５における第１のレーンから第４のレーンまでのシリアル信号用端子（合計１６個）は、トランシーバソケット３１２Ａにおけるシリアル信号用端子（合計１６個）と接続されている。
【００６５】
具体的には、ＰＥＴ０ＰとＴＸ１ｐ、ＰＥＴ０ＮとＴＸ１ｐ、ＰＥＲ０ＰとＲＸ１ｐ、ＰＥＲ０ＮとＲＸ１ｎが接続されている。また、ＰＥＴ１ＰとＴＸ２ｐ、ＰＥＴ１ＮとＴＸ２ｐ、ＰＥＲ１ＰとＲＸ２ｐ、ＰＥＲ１ＮとＲＸ２ｎが接続されている。また、ＰＥＴ２ＰとＴＸ３ｐ、ＰＥＴ２ＮとＴＸ３ｐ、ＰＥＲ２ＰとＲＸ３ｐ、ＰＥＲ２ＮとＲＸ３ｎが接続されている。また、ＰＥＴ３ＰとＴＸ４ｐ、ＰＥＴ３ＮとＴＸ４ｐ、ＰＥＲ３ＰとＲＸ４ｐ、ＰＥＲ３ＮとＲＸ４ｎが接続されている。
【００６６】
そして、カードエッジコネクタ３１５における第５のレーンから第８のレーンまでのシリアル信号用端子（合計１６個）は、トランシーバソケット３１２Ｂにおけるシリアル信号用端子（合計１６個）と接続されている。
【００６７】
具体的には、ＰＥＴ４ＰとＴＸ１ｐ、ＰＥＴ４ＮとＴＸ１ｐ、ＰＥＲ４ＰとＲＸ１ｐ、ＰＥＲ４ＮとＲＸ１ｎが接続されている。また、ＰＥＴ５ＰとＴＸ２ｐ、ＰＥＴ５ＮとＴＸ２ｐ、ＰＥＲ５ＰとＲＸ２ｐ、ＰＥＲ５ＮとＲＸ２ｎが接続されている。また、ＰＥＴ６ＰとＴＸ３ｐ、ＰＥＴ６ＮとＴＸ３ｐ、ＰＥＲ６ＰとＲＸ３ｐ、ＰＥＲ６ＮとＲＸ３ｎが接続されている。また、ＰＥＴ７ＰとＴＸ４ｐ、ＰＥＴ７ＮとＴＸ４ｐ、ＰＥＲ７ＰとＲＸ４ｐ、ＰＥＲ７ＮとＲＸ４ｎが接続されている。
【００６８】
図９には、コネクタ３１１に関する配線パターンが示されている。このコネクタ３１１としては、例えばＲＪ（Ｒｅｇｉｓｔｅｒｅｄ  Ｊａｃｋ）４５タイプのモジュラージャックを用いることができる。
【００６９】
コネクタ３１１は、カードエッジコネクタ３１５におけるサイドバンド信号用の２つの端子（ＷＡＫＥ＿Ｎ、ＰＥＲＳＴ＿Ｎ）と接続されている。これにより、一例として図１０に示されるように、それほど高速で送る必要がないサイドバンド信号を、シリアル信号とは別の伝送媒体（例えば、ＩＥＥＥ８０２．３の規格に準拠したケーブル）７００を介して送信することができる。その結果、更に低コスト化を図ることができる。
【００７０】
また、コネクタ３１１は、カードエッジコネクタ３１５における＋３．３Ｖ用の端子と接続されている。これにより、相手側の機器にカードアダプタ３００が装着されているか否かを知ることができる。
【００７１】
また、コネクタ３１１の２つの端子は、ボード３１０上でループされている。これにより、自分側の機器にカードアダプタ３００が装着されているか否かを知ることができる。
【００７２】
図１１には、２つのトランシーバソケット（３１２Ａ、３１２Ｂ）における光トランシーバの制御信号用の端子（ＬＰＭｏｄｅ、ＩｎｔＬ、ＭｏｄＰｒｓＬ、ＭｏｄＳｅｌＬ、ＲｅｓｅｔＬ、ＳＣＬ、ＳＤＡ）と２つのコネクタ（３１３、３１４）とを電気的に接続する複数の配線パターンが示されている。ここでは、コネクタ３１３は、トランシーバソケット３１２Ａに挿入される光トランシーバを制御する信号を外部装置（光トランシーバ制御装置）から入力するためのコネクタである（図１２参照）。また、コネクタ３１４は、トランシーバソケット３１２Ｂに挿入される光トランシーバを制御する信号を外部装置（光トランシーバ制御装置）から入力するためのコネクタである（図１２参照）。
【００７３】
ＬＰＭｏｄｅは、低パワーモードを設定する端子であり、ＩｎｔＬは、割り込みを設定する端子である。ＭｏｄＰｒｓＬは、光トランシーバの存在を設定する端子であり、ＭｏｄＳｅｌＬは、光トランシーバの選択を設定する端子である。ＲｅｓｅｔＬは、光トランシーバをリセットする端子である。ＳＣＬは、シリアル・インターフェース・クロックを設定する端子であり、ＳＤＡは、シリアル・インターフェース・データを設定する端子である。
【００７４】
また、ボード３１０上には、コネクタ３１３とトランシーバソケット３１２Ａとを電気的に接続する配線パターンと、コネクタ３１４とトランシーバソケット３１２Ｂとを電気的に接続する配線パターンとを電気的に連結することができるチップジャンパ（ＪＰ１〜ＪＰ５）が設けられている。これにより、コネクタ３１３及びコネクタ３１４のいずれか一方に接続された外部装置から、トランシーバソケット３１２Ａ及びトランシーバソケット３１２Ｂに挿入された各光トランシーバを同時に制御することが可能となる。
【００７５】
また、ボード３１０上には、２つのディップスイッチ（ＳＷ２、ＳＷ５）が設けられている。ディップスイッチＳＷ２は、トランシーバソケット３１２Ａに挿入される光トランシーバの動作条件をボード３１０上で設定する際に用いられる。ディップスイッチＳＷ５は、トランシーバソケット３１２Ｂに挿入される光トランシーバの動作条件をボード３１０上で設定する際に用いられる。
【００７６】
また、ボード３１０上には、図１３に示されるように、カードアダプタ３００を、１レーン用、４レーン用、８レーン用のいずれとするかを設定するためのスイッチ（ＳＷ８）が設けられている。
【００７７】
各光トランシーバ６００は、ＱＳＦＰ（Ｑｕａｄ  Ｓｍａｌｌ  Ｆｏｒｍ−ｆａｃｔｏｒ  Ｐｌｕｇｇａｂｌｅ）規格に準拠した光トランシーバであり、一例として図１４及び図１５に示されるように、ＴＸ１ｎ〜ＴＸ４ｎ、ＴＸ１ｐ〜ＴＸ４ｐに入力された信号（電気信号）を光信号に変換し、光ケーブル５００に出力する第１の変換回路６０１、及び光ケーブル５００から入力された信号（光信号）を電気信号に変換し、ＲＸ１ｎ〜ＲＸ４ｎ、ＲＸ１ｐ〜ＲＸ４ｐに出力する第２の変換回路６０２を有している。
【００７８】
これにより、サーバ側のＴＸ１ｎ〜ＴＸ４ｎから出力された各データは、プリンタ側のＲＸ１ｎ〜ＲＸ４ｎにそれぞれ伝送され、サーバ側のＴＸ１ｐ〜ＴＸ４ｐから出力された各データは、プリンタ側のＲＸ１ｐ〜ＲＸ４ｐにそれぞれ伝送される。
【００７９】
同様に、プリンタ側のＴＸ１ｎ〜ＴＸ４ｎから出力された各データは、サーバ側のＲＸ１ｎ〜ＲＸ４ｎにそれぞれ伝送され、プリンタ側のＴＸ１ｐ〜ＴＸ４ｐから出力された各データは、サーバ側のＲＸ１ｐ〜ＲＸ４ｐにそれぞれ伝送される。
【００８０】
以上の説明から明らかなように、本実施形態に係るプリントシステム１００では、サーバ２００によって、本発明の情報システムにおける第１の情報機器が構成され、プリンタ４００によって、第２の情報機器が構成され、光ケーブル５００によって光伝送媒体が構成されている。また、カードアダプタ３００によって、本発明のアダプタが構成されている。
【００８１】
また、カードアダプタ３００において、本発明の通信方法が実施されている。
【００８２】
以上説明したように、本実施形態に係るプリントシステム１００によると、サーバ２００とプリンタ４００が光ケーブル５００によって接続されている。
【００８３】
サーバ２００及びプリンタ４００は、いずれもＰＣＩ  Ｅｘｐｒｅｓｓの規格に準拠したＰＣＩ  Ｅｘｐｒｅｓｓソケットを少なくとも４つ備えており、各ＰＣＩ  Ｅｘｐｒｅｓｓソケットには、それぞれカードアダプタ３００が挿入されている。
【００８４】
カードアダプタ３００は、ボード３１０、該ボード３１０の一端近傍に設けられたカードエッジコネクタ３１５、該ボード３１０上に実装された２つのトランシーバソケット（３１２Ａ、３１２Ｂ）及び４つのコネクタ（３１１、３１３、３１４、３１６）などを有している。
【００８５】
そして、ボード３１０には、カードエッジコネクタ３１５と２つのトランシーバソケット（３１２Ａ、３１２Ｂ）とを電気的に接続する複数の配線パターンが設けられている。
【００８６】
この場合は、カードアダプタ３００は、送信情報及び受信情報を高速で変換するためのチップが不要であり、低コスト化を図ることができる。また、ＰＣＩ  Ｅｘｐｒｅｓｓの規格に準拠した送受信が可能なため、ＰＣＩ  Ｅｘｐｒｅｓｓの実効転送速度を維持した送受信が可能である。
【００８７】
従って、高価格化及び実効転送速度の低下を招くことなく、ＰＣＩ  Ｅｘｐｒｅｓｓの規格に準拠したインターフェースを有する機器間の情報通信を行うことができる。
【００８８】
なお、上記実施形態における配線パターンの引き回しは一例であり、これに限定されるものではない。
【００８９】
また、上記実施形態におけるコネクタ等の実装位置は一例であり、これに限定されるものではない。
【００９０】
また、一例として図１６に示されるように、２つのトランシーバソケット（３１２Ａ、３１２Ｂ）は、ボード３１０におけるカードエッジコネクタ３１５が設けられている端部に隣接する端部近傍に実装されていても良い。この場合のシリアル信号線が最優先で配線されている領域がハッチングで示されている。
【００９１】
また、上記実施形態では、各光トランシーバがＱＳＦＰ規格に準拠した光トランシーバである場合について説明したが、これに限定されるものではない。例えば、各光トランシーバが、ＳＦＰ（Ｓｍａｌｌ  Ｆｏｒｍ−ｆａｃｔｏｒ  Ｐｌｕｇｇａｂｌｅ）規格、ＳＦＰ＋規格、ＱＳＦＰ＋規格、及びＸＦＰ（１０Ｇｉｇａｂｉｔ  Ｓｍａｌｌ  Ｆｏｒｍ−ｆａｃｔｏｒ  Ｐｌｕｇｇａｂｌｅ）規格のいずれかに対応していても良い。
【００９２】
また、上記実施形態では、カードエッジコネクタ３１５が、８レーンに対応している場合について説明したが、これに限定されるものではない。
【００９３】
また、上記実施形態では、ＰＣＩ  Ｅｘｐｒｅｓｓの規格に準拠した情報通信を行う場合について説明したが、これに限定されるものではない。
【産業上の利用可能性】
【００９４】
以上説明したように、本発明のアダプタによれば、高価格化及び実効転送速度の低下を招くことなく、機器間の情報通信を行うのに適している。また、本発明の情報機器によれば、高価格化及び実効転送速度の低下を招くことなく、情報通信を行うのに適している。また、本発明の情報システムによれば、高価格化及び実効転送速度の低下を招くことなく、情報通信を行うのに適している。
【符号の説明】
【００９５】
１００…プリントシステム（情報システム）、２００…サーバ（第１の情報機器）、３００…カードアダプタ（アダプタ）、３１０…ボード、３１１…コネクタ（ケーブルソケット）、３１２Ａ…トランシーバソケット（ソケット）、３１２Ｂ…トランシーバソケット（ソケット）、３１３…コネクタ（入力端子）、３１４…コネクタ（入力端子）、３１５…カードエッジコネクタ、３１６…コネクタ（電源用端子）、４００…プリンタ（第２の情報機器）、５００…光ケーブル（光伝送媒体）、６００…光トランシーバ、８００…端末、９００…ネットワーク。
【先行技術文献】
【特許文献】
【００９６】
【特許文献１】特開２００４−３２０２１１号公報
【特許文献２】登実３１２６５９４号公報
【図１】
0005455157.tif 000002
【図２】
0005455157.tif 000003
【図３】
0005455157.tif 000004
【図４】
0005455157.tif 000005
【図５】
0005455157.tif 000006
【図６】
0005455157.tif 000007
【図７】
0005455157.tif 000008
【図８】
0005455157.tif 000009
【図９】
0005455157.tif 000010
【図１０】
0005455157.tif 000011
【図１１】
0005455157.tif 000012
【図１２】
0005455157.tif 000013
【図１３】
0005455157.tif 000014
【図１４】
0005455157.tif 000015
【図１５】
0005455157.tif 000016
【図１６】
0005455157.tif 000017